(57)【要約】【課題】各局間をＳＴＬ／ＴＴＬ回線で接続したシステムにあって、末端の中継局を除いて専用の通信回線を用意することなくテレビジョン放送ＴＳ以外の情報の伝送を実現できるようにした地上デジタル放送ネットワークシステムを提供する。【解決手段】演奏所１と末端となる中継局６との間をＳＴＬ／ＴＴＬ回線とは異なる通信回線により接続することで、ループ化するとともに、ヌルパケットといった放送情報の利用していない区間を利用して、そのヌルパケットの代わりに、各種ＬＡＮデータのＬＡＮデータパケットを伝送することにより、各演奏所１、親局２、中継局３〜６内の機器の監視制御や監視カメラＭ２〜Ｍ６及びＡＩＲモニタの画像伝送、各演奏所１、親局２、中継局３〜６における社内電話やパーソナル・コンピュータ等の情報機器の接続といった付加サービスを要求し実行できるようにしている。【選択図】      図１
2011015060.tif 000002
【特許請求の範囲】
【請求項１】
放送帯域を複数階層に分割し、各階層に割り当てられるテレビジョン放送用のＴＳ(Transport Stream)パケットからなる放送情報をＳＴＬ(Studio to Transmitter Link)／ＴＴＬ(Transmitter to Transmitter Link)回線で接続される複数の局間伝送により多段中継を行う地上デジタル放送ネットワークシステムにおいて、
前記複数の局のうち演奏所と末端となる中継局との間を前記ＳＴＬ／ＴＴＬ回線とは異なる通信回線により接続し、
前記複数の局は、
情報伝送要求発生時に、前記放送情報の利用していない区間に前記テレビジョン放送情報以外の情報を挿入して送信する送信手段と、
受信した放送情報中の利用していない区間に情報が挿入されていた場合に、当該情報の内容に応じたサービスを実行するサービス実行手段とを備えたことを特徴とする地上デジタル放送ネットワークシステム。
【請求項２】
前記送信手段は、前記放送情報の利用していない区間に各局個別のプログラムを挿入して送信し、
前記サービス実行手段は、受信した放送情報中の利用していない区間に各局個別のプログラムが挿入されている場合に、当該プログラムが自局宛であるか否かを判定し、この判定結果に基づいて、当該プログラムの処理を実行することを特徴とする請求項１記載の地上デジタル放送ネットワークシステム。
【請求項３】
前記送信手段は、前記放送情報の利用していない区間に局の制御情報を挿入して送信し、
前記サービス実行手段は、受信した放送情報中の利用していない区間に局の制御情報が挿入されている場合に、当該制御情報が自局宛であるか否かを判定し、この判定結果に基づいて、局の制御処理を実行することを特徴とする請求項１記載の地上デジタル放送ネットワークシステム。
【請求項４】
前記送信手段は、前記放送情報の利用していない区間に局の監視情報を挿入して送信し、
前記サービス実行手段は、受信した放送情報中の利用していない区間に局の監視情報が挿入されている場合に、当該監視情報が自局宛であるか否かを判定し、この判定結果に基づいて、局の監視処理を実行することを特徴とする請求項１記載の地上デジタル放送ネットワークシステム。
【請求項５】
前記放送情報の利用していない区間は、ヌルパケットであることを特徴とする請求項１記載の地上デジタル放送ネットワークシステム。
【請求項６】
放送帯域を複数階層に分割し、各階層に割り当てられるテレビジョン放送用のＴＳ(Transport Stream)パケットからなる放送情報をＳＴＬ(Studio to Transmitter Link)／ＴＴＬ(Transmitter to Transmitter Link)回線で接続される複数の局間伝送により多段中継を行い、前記複数の局のうち演奏所と末端となる中継局との間を前記ＳＴＬ／ＴＴＬ回線とは異なる通信回線により接続した地上デジタル放送ネットワークシステムの情報伝送方法において、
複数の局にて、
情報伝送要求発生時に、前記放送情報の利用していない区間に前記テレビジョン放送情報以外の情報を挿入して送信し、
受信した放送情報中の利用していない区間に情報が挿入されていた場合に、当該情報の内容に応じたサービスを実行することを特徴とする情報伝送方法。
【発明の詳細な説明】
【技術分野】
【０００１】
この発明は、地上デジタル放送の多段中継伝送を行う地上デジタル放送ネットワークシステム及び情報伝送方法に関する。
【背景技術】
【０００２】
近年、運用が開始されている地上デジタル放送では、放送プログラムを伝送する手段として、マイクロ波回線などのＳＴＬ(Studio to Transmitter Link)／ＴＴＬ(Transmitter to Transmitter Link)回線により演奏所（スタジオ）、放送送信所（親局）、各中継局間を接続し、このＳＴＬ／ＴＴＬ回線を利用した多段中継が行われている。
【０００３】
ところで、上記地上デジタル放送では、演奏所と放送送信所、各中継局間において、機器の監視制御を行う必要がある。このため、演奏所と放送送信所、各中継局間をＳＴＬ／ＴＴＬ回線の他に、監視・制御のためのアナログ公衆回線や携帯電話網、インターネットといった通信回線で接続し、この通信回線を介して機器の監視・制御情報を伝送するようにしている。
【０００４】
しかしながら、地上デジタル放送の放送送信所、各中継局における機器の監視制御において、通信回線が繋がりにくい場合や、災害等で通信回線が断になった場合には、その局の機器の監視制御はできなくなってしまう。また、監視制御のための回線の費用もかかっている。
【０００５】
なお、この種に関連する従来技術として、特許文献１に、ＳＴＬ／ＴＴＬ伝送パケットに特定領域を設けて、この特定領域に監視・制御情報を挿入してＳＴＬ／ＴＴＬ回線に送信する手法が提案されている。但し、この特許文献１に記載のものは、中継伝送を行う場合に、遅延時間が増えてしまうことを問題としており、通信回線が断になった場合に対する監視・制御情報の伝送対策に関するものではない。
【先行技術文献】
【特許文献】
【０００６】
【特許文献１】特開２００４−１６５７５３公報。
【発明の概要】
【発明が解決しようとする課題】
【０００７】
以上のように、演奏所と放送送信所、各中継局間をＳＴＬ／ＴＴＬ回線とは別に、通信回線により接続し、通信回線を介して監視・制御情報を伝送する手法では、通信回線が断になった場合には監視・制御情報を伝送することができず、また通信回線の維持費用や通信トラフィックに関する問題もあり、有効な対策が強く望まれていた。
【０００８】
そこで、この発明の目的は、演奏所と放送送信所、各中継局間をＳＴＬ／ＴＴＬ回線で接続したシステムにあって、末端の中継局を除き専用の通信回線を用意することなくテレビジョン放送ＴＳ以外の情報の伝送を実現できるようにした地上デジタル放送ネットワークシステム及び情報伝送方法を提供することにある。
【課題を解決するための手段】
【０００９】
上記目的を達成するために、この発明に係る地上デジタル放送ネットワークシステムは、放送帯域を複数階層に分割し、各階層に割り当てられるテレビジョン放送用のＴＳ(Transport Stream)パケットからなる放送情報をＳＴＬ(Studio to Transmitter Link)／ＴＴＬ(Transmitter to Transmitter Link)回線で接続される演奏所（スタジオ）と放送送信所（親局）、各中継局の伝送を多段中継で行う地上デジタル放送ネットワークシステムにおいて、複数の中継局のうち末端となる中継局と演奏所との間をＳＴＬ／ＴＴＬ回線とは異なる通信回線により接続し、放送送信所（親局）、各中継局は、情報伝送要求発生時に、放送情報の利用していない区間にテレビジョン放送情報以外の情報を挿入して送信する送信手段と、受信した放送情報中の利用していない区間に情報が挿入されていた場合に、当該情報の内容に応じたサービスを実行するサービス実行手段とを備えるようにしたものである。
【００１０】
この構成によれば、末端となる中継局と演奏所との間をＳＴＬ／ＴＴＬ回線とは異なる通信回線により接続することで、ループ化するとともに、ヌルパケットといった放送情報の利用していない区間を利用して、ヌルパケットの代わりに放送送信所、各中継局の機器の監視制御や監視カメラ及びＡＩＲモニタの画像伝送、放送送信所、各中継局における社内電話やパーソナル・コンピュータ等の情報機器の接続といった付加サービスを要求し実行することが可能となる。
【００１１】
従って、末端中継局を除き監視制御回線が敷けないところでも局の監視制御を行うことができる。また、災害時においてその局の監視制御回線が断となっても当該局の状態を監視制御することができる。さらに、地上デジタル放送とは別の新たなプログラムを伝送するために新たにＳＴＬ／ＴＴＬ回線を構築する必要がなくプログラムを伝送することができるようになり、回線費用の削減を図ることができる。
【発明の効果】
【００１２】
この発明によれば、演奏所と放送送信所、各中継局間をＳＴＬ／ＴＴＬ回線で接続したシステムにあって、末端中継局を除き専用の通信回線を用意することなくテレビジョン放送ＴＳ以外の情報の伝送を実現できるようにした地上デジタル放送ネットワークシステム及び情報伝送方法を提供することができる。
【図面の簡単な説明】
【００１３】
【図１】この発明に係る地上デジタル放送ネットワークシステムの第１の実施形態を示す概略構成図。
【図２】上記図１に示した演奏所と親局と各中継局との接続構成を示すブロック図。
【図３】上記図２における再多重装置出力パケット信号出力例を示す図。
【図４】上記図１に示した演奏所、親局、各中継局にて、ＴＳ信号のヌルパケットにてＬＡＮデータを伝送する時の処理手順を示すフローチャート。
【図５】同第１の実施形態における親局の送信機器の電源オン／オフ制御動作を説明するために示す図。
【図６】同第１の実施形態における情報送信要求動作を説明するために示す図。
【図７】この発明に係る地上デジタル放送ネットワークシステムの第２の実施形態を示す概略構成図。
【図８】上記図７に示した演奏所において、ＴＳ信号のヌルパケットにて新たな他プログラムを伝送する時の処理手順を示すフローチャート。
【図９】上記図７に示した親局及び各中継局において、ＴＳ信号のヌルパケットにて新たな他プログラムを伝送する時の処理手順を示すフローチャート。
【発明を実施するための形態】
【００１４】
以下、この発明の実施形態について図面を参照して詳細に説明する。  
（第１の実施形態）  
図１は、この発明に係る地上デジタル放送ネットワークシステムの第１の実施形態を示す概略構成図である。
【００１５】
このシステムは、演奏所１と、親局２と、中継局３〜６とを有し、演奏所１と親局２との間をＳＴＬ回線で接続し、親局２と中継局３との間をＴＴＬ回線で接続し、中継局３と中継局４との間、中継局４と中継局５との間、中継局５と中継局６との間をそれぞれＴＴＬ回線で接続している。そして、末端となる中継局６と演奏所１との間を光回線等による通信回線により接続している。
【００１６】
また、演奏所１は、パーソナル・コンピュータＰＣ１と、電話機Ｔ１と、制御器ＣＲ１とを備えている。また、親局２は、パーソナル・コンピュータＰＣ２と、電話機Ｔ２と、制御器ＣＲ２と、監視カメラＭ２とを備えている。さらに、中継局３〜６も、親局２と同様に、パーソナル・コンピュータＰＣ３〜ＰＣ６と、電話機Ｔ３〜Ｔ６と、制御機器ＣＲ３〜ＣＲ６と、監視カメラＭ３〜Ｍ６とを備えている。
【００１７】
図２は、演奏所１と親局２と各中継局３〜６との接続構成を示すブロック図である。ここでは、各中継局３〜６において、同様な構成であるので、演奏所１と親局２と中継局６との接続構成を代表として説明する。
【００１８】
図２において、演奏所１は、再多重装置１１と、ＬＡＮデータ送信装置１２と、６４ＱＡＭ変調装置１３と、マイクロ波送信装置１４と、マイクロ波送信アンテナ１５と、回線インタフェース部１６と、ＬＡＮデータ受信装置１７とを備える。
【００１９】
まず、再多重装置１１は、ＭＰＥＧ２システムズに規定されるＴＳパケット（番組情報）を入力し、放送波の伝送パラメータで決定する多重フレームパターンに従って、各パケットが属する階層を定めると共に、その伝送パラメータ（パケット階層情報、各階層の放送用符号化率、各階層の放送用変調方法、放送用インターリーブ長）を示すＴＭＣＣ(Transmission Mode Configuration Control)信号を生成するものである。
【００２０】
再多重装置１１から出力されるパケットと階層情報は、ＬＡＮデータ送信装置１２に入力される。また、ＬＡＮデータ送信装置１２には、パーソナル・コンピュータＰＣ１、電話機Ｔ１、制御機器ＣＲ１などから発生されるＬＡＮ(Local Area Network)データが入力される。
【００２１】
図３に示すように再多重装置１１からは、ＴＭＣＣ情報を基に、ＳＴＬ／ＴＴＬ回線のように伝送可能情報量が放送波での伝送可能容量より大きい場合には、ダミーパケットのような４７Ｈ同期バイトを含んだパケットや無効なヌルパケットが追加される。
【００２２】
そして、ＬＡＮデータ送信装置１２では、ＬＡＮデータであることを示すパケットＩＤ及び宛先となる局を示すアドレスＩＤを付加し、ＬＡＮデータパケットとして従来のヌルパケットの代わりに挿入して、６４ＱＡＭ変調装置１３に送出する。
【００２３】
６４ＱＡＭ変調装置１３の出力は、マイクロ波送信装置１４に送られる。このマイクロ波送信装置１４は、６４ＱＡＭ変調装置１３の出力をＳＴＬ回線伝送用マイクロ波帯に周波数変換し電力増幅して、ＴＳ信号を６４ＱＡＭ信号として送信アンテナ１５より送信するものである。
【００２４】
上記演奏所１の送信アンテナ１５から送信された信号は、親局２における受信アンテナ２１及びマイクロ波受信装置２２で受信検波され、ベースバンド信号に変換されて、６４ＱＡＭ復調装置２３によりフレーム同期信号、ＴＳパケットが復調される。
【００２５】
親局２において、ＱＡＭ復調装置２３の復調出力はＬＡＮデータ送受信装置２４に入力される。また、ＱＡＭ復調装置２３の復調出力はＯＦＤＭ変調装置２５に入力され、中継局送信機２６及び送信アンテナ２７を介して放送波として送出される。
【００２６】
ＬＡＮデータ送受信装置２４はＬＡＮデータパケット中に自局宛のＬＡＮデータが挿入されている場合には、当該ＬＡＮデータを抽出し、抽出後ヌルパケットに置き換える。送信すべきＬＡＮデータがある場合には、ＬＡＮデータをＬＡＮデータパケットとしてヌルパケットの代わりに、ＬＡＮデータであることを示すパケットＩＤ及び宛先となる局を示すアドレスＩＤを付加し挿入するとともに、６４ＱＡＭ装置２８に送出する。
【００２７】
６４ＱＡＭ変調装置２８の出力は、マイクロ波送信装置２９に送られる。このマイクロ波送信装置２９は、６４ＱＡＭ変調装置２８の出力をＴＴＬ回線伝送用マイクロ波帯に周波数変換し電力増幅して、送信アンテナ２０より送信するものである。
【００２８】
上記親局２の送信アンテナ２０から送信された信号は、中継局３で受信検波される。なお、中継局３〜５の処理は、親局２の処理と同様であるので省略する。
【００２９】
上記中継局５から送信された信号は、中継局６における受信アンテナ６１及びマイクロ波受信装置６２で受信検波され、ベースバンド信号に変換されて、６４ＱＡＭ復調装置６３によりフレーム同期信号、ＴＳパケットが復調される。
【００３０】
中継局６において、ＱＡＭ復調装置６３の復調出力はＬＡＮデータ送受信装置６４に入力される。また、ＱＡＭ復調装置６３の復調出力はＯＦＤＭ変調装置６５に入力され、中継局送信機６６及び送信アンテナ６７を介して放送波として送出される。
【００３１】
ＬＡＮデータ送受信装置６４はＬＡＮデータパケット中に自局宛のＬＡＮデータが挿入されている場合には、当該ＬＡＮデータを抽出し、抽出後ヌルパケットに置き換える。送信すべきＬＡＮデータがある場合には、ＬＡＮデータをＬＡＮデータパケットとしてヌルパケットの代わりにＬＡＮデータであることを示すパケットＩＤ及び宛先となる局を示すアドレスＩＤを付加し挿入する。
【００３２】
また、ＬＡＮデータ送受信装置６４の出力は、回線インタフェース部６８により通信回線を介して演奏所１に送られる。
【００３３】
演奏所１では中継局６より通信回線を介して送られてきたＬＡＮデータを回線インタフェース部１６を介してＬＡＮデータ受信装置１７で受信する。
【００３４】
次に、上記構成における動作について説明する。  
図４は、演奏所１、親局２、各中継局３〜６にて、ＴＳ信号のヌルパケットの代わりにＬＡＮデータをＬＡＮデータパケットとして伝送する時の処理手順を示すフローチャートである。ここでは、親局２を代表して説明する。
【００３５】
親局２のＬＡＮデータ送受信装置２４は、ＴＳ信号を受信し、パケットＩＤにてヌルパケットかどうか判断する（ステップＳＴ４ａ）。ヌルパケットの場合は、ステップＳＴ４ａからステップＳＴ４ｂに移行してここで自局に送出するＬＡＮデータがある場合にはそのヌルパケットの代わりに自局が送出するＬＡＮデータを、パケットＩＤや送り先アドレスやデータを加えてＬＡＮデータパケットとして次の局へ送出する（ステップＳＴ４ｃ）。
【００３６】
一方、自局に送出するＬＡＮデータがない場合には、親局２のＬＡＮデータ送受信装置２４はそのままヌルパケットを次の局へ送出する（ステップＳＴ４ｄ）。
【００３７】
上記ステップＳＴ４ａにおいてヌルパケットでない場合、親局２のＬＡＮデータ送受信装置２４はパケットＩＤで放送プログラムかどうかを判断する（ステップＳＴ４ｅ）。放送プログラムの場合は、そのまま受信した放送プログラムを次の局へ送出する（ステップＳＴ４ｆ）。
【００３８】
一方、放送プログラムでない場合、親局２のＬＡＮデータ送受信装置２４はパケットＩＤにてＬＡＮデータどうか判断する（ステップＳＴ４ｇ）。ここで、ＬＡＮデータでない場合、親局２のＬＡＮデータ送受信装置２４は上記ステップＳＴ４ｆに移行してそのまま受信したパケットを次の局へ送出する。
【００３９】
一方、パケットＩＤにてＬＡＮデータと判断した場合、親局２のＬＡＮデータ送受信装置２４はアドレスＩＤにて自局宛のデータかどうか判断する（ステップＳＴ４ｈ）。自局宛のデータでない場合には、上記ステップＳＴ４ｆに移行してそのまま受信したＬＡＮデータのパケットを次の局へ送出する。
【００４０】
アドレスＩＤで自局宛のデータと判断した場合には、親局２のＬＡＮデータ送受信装置２４はＬＡＮデータを受信する（ステップＳＴ４ｉ）。そして、自局に送出するＬＡＮデータがあり、受信した自局宛のＬＡＮデータのパケットを、自局が送出するＬＡＮデータのパケットに相手先のアドレスＩＤやデータを書換えてＬＡＮデータとしてパケットを次の局へ送出する。自局に送出するＬＡＮデータがない場合にヌルパケットに書き換えて次の局へ送出する。
【００４１】
（親局２の制御機器の電源オン／オフ制御）  
いま、図５に示すように親局２の制御機器ＣＲ２の電源がオンであるとする。このとき、演奏所１のユーザが制御機器ＣＲ１を操作して親局２の制御機器ＣＲ２の電源をオンからオフに制御したとする。そうすると、演奏所１は、ＴＳ信号のヌルパケットの代わりに制御機器ＣＲ２の電源をオンからオフにする旨を示す制御情報、例えば「％０００１」をＬＡＮデータとして、親局２を示すアドレスＩＤ及びＬＡＮデータを示すパケットＩＤを付加してＬＡＮデータパケットとして挿入して、親局２へ送信する。
【００４２】
親局２は、ＳＴＬ回線を介してＬＡＮデータパケットを受信すると、まずこのＬＡＮデータパケットに付加されるアドレスＩＤ及びパケットＩＤから自局宛のＬＡＮデータが挿入されているかを判定する。そして、自局宛の制御情報が挿入されていれば、当該情報の内容に従い制御機器ＣＲ２の電源をオンからオフに制御する。そして、制御を終了すると、「正常」を挿入したＬＡＮデータパケットを中継局３〜６経由で要求元の演奏所１へ返送する。
【００４３】
かくして、演奏所１のユーザは、親局２の制御機器ＣＲ２の電源を遠隔操作でオン／オフ切替を行うことができる。
【００４４】
（情報送信要求動作）  
いま図６に示すように演奏所１のユーザが中継局３の状態を表す情報を取得するべくパーソナル・コンピュータＰＣ１を操作したとする。この場合、演奏所１は、ヌルパケットの代わりに、中継局３の状態を取得するための要求情報、例えば「％００１０」のＬＡＮデータを、中継局３を示すアドレスＩＤ及びＬＡＮデータを示すパケットＩＤを付加してＬＡＮデータパケットとして挿入して、親局２へ送信する。
【００４５】
親局２は、ＬＡＮデータパケットを受信すると、まずこのＬＡＮデータパケットに付加されるアドレスＩＤ及びパケットＩＤから自局宛のＬＡＮデータが挿入されているかを判定する。ここでは、自局宛ではないので、次の中継局３にＬＡＮデータパケットをそのままを送信する。
【００４６】
中継局３は、ＬＡＮデータパケットを受信すると、まずこのＬＡＮデータパケットに付加されるアドレスＩＤ及びパケットＩＤから自局宛のＬＡＮデータが挿入されているかを判定する。そして、自局宛の要求情報「％００１０」が挿入されていれば、当該情報の内容に従い、監視カメラＭ３で撮影される監視画像データをヌルパケットの代わりに、演奏所１を示すアドレスＩＤ及びＬＡＮデータを示すパケットＩＤを付加してＬＡＮデータパケットとして中継局４〜６経由で要求元の演奏所１へ返送する。
【００４７】
演奏所１は、ＬＡＮデータパケットを受信すると、まずこのＬＡＮデータパケットに付加されるアドレスＩＤ及びパケットＩＤから自局宛のＬＡＮデータが挿入されているかを判定する。そして、自局宛の監視画像データが挿入されていれば、監視画像データをパーソナル・コンピュータＰＣ１に転送して表示させる。
【００４８】
かくして、演奏所１のユーザは、パーソナル・コンピュータＰＣ１により中継局３の状態をリアルタイムに確認することができる。
【００４９】
以上のように上記第１の実施形態では、末端となる中継局６と演奏所１との間をＳＴＬ／ＴＴＬ回線とは異なる通信回線により接続することで、ループ化するとともに、ヌルパケットといった放送情報の利用していない区間を利用してヌルパケットの代わりにＬＡＮデータパケットを伝送することにより各演奏所１、親局２、中継局３〜６内の機器の監視制御や監視カメラＭ２〜Ｍ６及びＡＩＲモニタの画像伝送、各演奏所１、親局２、中継局３〜６における社内電話やパーソナル・コンピュータ等の情報機器の接続といった付加サービスを要求し実行できるようにしている。
【００５０】
従って、各演奏所１、親局２、中継局３〜６にそれぞれ監視制御回線を敷設することなく、ＳＴＬ／ＴＴＬ回線を利用して各演奏所１、親局２、中継局３〜６の監視制御を行うことができる。また、災害時においてその局の監視制御回線が断となっても当該局の状態を監視制御することができる。
【００５１】
（第２の実施形態）  
図７は、この発明に係る地上デジタル放送ネットワークシステムの第２の実施形態を示す概略構成図である。なお、図７において、上記図１と同一部分には同一符号を付して詳細な説明を省略する。
【００５２】
この第２の実施形態は、ＴＳ信号の放送情報の利用していない区間のヌルパケットを用いて、ヌルパケットの代わりに地上デジタル放送と同じ送信所へ地上デジタル放送とは別の新たな他プログラム（マルチメディア放送・・デジタルラジオ、新型コミュニティ、ポータルサービス等）の伝送を行なうシステムである。
【００５３】
図８は、上記演奏所１において、ＴＳ信号の放送情報の利用していない区間のヌルパケットを用いて、ヌルパケットの代わりに地上デジタル放送とは別の新たな他プログラムを伝送する時の処理手順を示すフローチャートである。
【００５４】
演奏所１は、再多重装置１１の出力のＴＳ信号に対して、パケットＩＤにてヌルパケットかどうか判断する（ステップＳＴ８ａ）。ここで、ヌルパケットでない場合はそのまま再多重装置１１の出力のＴＳ信号を送出する（ステップＳＴ８ｂ）。
【００５５】
一方、ヌルパケットの場合は、送出すべき地上デジタル放送とは別の新たな他プログラム（マルチメディア放送・・デジタルラジオ、新型コミュニティ、ポータルサービス等）があるか否かを判断し（ステップＳＴ８ｃ）、送出すべき新たな他プログラムがある場合には、送出すべき新たな他プログラムのパケットＩＤやデータに書き換えて、ヌルパケットの代わりに、新たなプログラムを送出するパケットとして、パケットを送出する（ステップＳＴ８ｄ）。一方、送出する新たな他プログラムがない場合には、ヌルパケットをそのまま送出する（ステップＳＴ８ｅ）。
【００５６】
図９は、上記親局２及び各中継局３〜６において、ＴＳ信号のヌルパケットの代わりに新たな他プログラムのパケットを伝送する時の処理手順を示すフローチャートである。
【００５７】
親局２、各中継局３〜６では、ＴＳ信号を分配し（ステップＳＴ９ａ）、一方は次の中継所へ伝送する。もう一方はパケットＩＤを検出して地上デジタル放送であるか否かを判断し（ステップＳＴ９ｃ）、地上デジタル放送の場合はそのプログラムを受信して地上デジタル放送を放送する（ステップＳＴ９ｄ）。
【００５８】
さらに、他の一方はパケットＩＤを検出して新たな他プログラム（マルチメディア放送・・デジタルラジオ、新型コミュニティ、ポータルサービス等）であるか否かを判断し（ステップＳＴ９ｅ）、地上デジタル放送とは別の新たな他プログラムの場合は、そのプログラムを受信して、新たな他プログラム（マルチメディア放送・・デジタルラジオ、新型コミュニティ、ポータルサービス等）を放送する（ステップＳＴ９ｆ）。
【００５９】
なお、上記ステップＳＴ９ｃ及びステップＳＴ９ｅにおいて、いずれにも該当しない場合には、ＴＳ信号のパケットを破棄する（ステップＳＴ９ｇ及びステップＳＴ９ｈ）。
【００６０】
以上のように上記第２の実施形態であっても、上記第１の実施形態と同様な作用効果を得ることができ、さらに、新たなプログラムを伝送するために新たにＳＴＬ／ＴＴＬ回線を構築する必要がなくプログラムを伝送することができるようになり、回線費用の削減を図ることができる。
【００６１】
（その他の実施形態）  
なお、この発明は上記各実施形態に限定されるものではない。上記各実施形態では、４個の中継局を備える例について説明したが、さらに多段の中継局であってもよい。
【００６２】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６３】
１…演奏所、２…親局、３〜６…中継局、１１…再多重装置、１２…ＬＡＮデータ送受信装置、１３，２８…６４ＱＡＭ変調装置、１４，２９…マイクロ波送信装置、１５，２０…送信アンテナ、１７…ＬＡＮデータ受信装置、２２，６２…マイクロ波受信装置、２３，６３…６４ＱＡＭ復調装置、２４，６４…ＬＡＮデータ送受信装置、２５，６５…ＯＦＤＭ変調装置、１６，６８…回線インタフェース部。
【図１】
2011015060.tif 000003
【図２】
2011015060.tif 000004
【図３】
2011015060.tif 000005
【図４】
2011015060.tif 000006
【図５】
2011015060.tif 000007
【図６】
2011015060.tif 000008
【図７】
2011015060.tif 000009
【図８】
2011015060.tif 000010
【図９】
2011015060.tif 000011